(57)【要約】情報を格納するリムーバブルデータカートリッジが開示される。リムーバブルデータカートリッジは、外側ケーシングと電気コネクタとを含む。外側ケーシングは、中に開口部を有する前側と、前側の反対側に位置決する後側と、左側と、左側と前側との間の左縁と、上側と、上側と前側との間の上縁であって、該上縁は左縁よりも長い、上縁と、底側とを有する。外側ケーシングのキーイング機能は、前側から後側に向けて延びており、ドライブ内の固定のアパーチャを通る、リムーバブルデータカートリッジの不適切な挿入を防止する。電気コネクタは、前側における開口部において、外側ケーシングの外側からアクセス可能である。
2009514135.tif 000002
【特許請求の範囲】
【請求項１】
情報を格納するリムーバブルデータカートリッジであって、該リムーバブルデータカートリッジは、
外側ケーシングであって、
中に開口部を有する前側と、
該前側の反対側に位置する後側と、
左側と、
該左側と該前側との間の左縁と、
上側と、
該上側と該前側との間の上縁であって、該上縁は、該左縁よりも長い、上縁と、
底側と、
該前側から該後側に向かって延びているキーイング機能であって、該キーイング機能は、ドライブ内の固定のアパーチャを通った該リムーバブルデータカートリッジの不適切な挿入を防止する、キーイング機能と
を含む、外側ケーシングと、
該前側の該開口部において該外側ケーシングの外側からアクセス可能な電気コネクタと
を備えている、リムーバブルデータカートリッジ。
【請求項２】
前記前側に平行に向けられた断面は、少なくとも５つの縁を有する、請求項１に記載の情報を格納するリムーバブルデータカートリッジ。
【請求項３】
前記キーイング機能は、斜角を付けられた面を備えている、請求項１に記載の情報を格納するリムーバブルデータカートリッジ。
【請求項４】
前記電気コネクタは、ハードドライブプロトコルと共に使用するためのインタフェースを提供する、請求項１に記載の情報を格納するリムーバブルデータカートリッジ。
【請求項５】
前記ハードドライブプロトコルは、ＳＡＳ、ＰＡＴＡ、ＳＡＴＡ、またはＳＣＳＩに従う、請求項４に記載の情報を格納するリムーバブルデータカートリッジ。
【請求項６】
前記外側ケーシングの内側に据え付けられ、かつ、前記電気コネクタに結合されたハードドライブをさらに備えている、請求項５に記載の情報を格納するリムーバブルデータカートリッジ。
【請求項７】
前記外側ケーシングの内側に据え付けられ、かつ、前記電気コネクタに結合されたソリッドステートメモリデバイスをさらに備えている、請求項１に記載の情報を格納するリムーバブルデータカートリッジ。
【請求項８】
前記上側は、少なくとも７０ｍｍの長さと、少なくとも６０ｍｍの幅とを有し、前記底側は、少なくとも７０ｍｍの長さと、少なくとも６０ｍｍの幅とを有する、請求項１に記載の情報を格納するリムーバブルデータカートリッジ。
【請求項９】
前記上側は、少なくとも１００ｍｍの長さと、少なくとも７０ｍｍの幅とを有し、前記底側は、少なくとも１００ｍｍの長さと、少なくとも７０ｍｍの幅とを有する、請求項１に記載の情報を格納するリムーバブルデータカートリッジ。
【請求項１０】
情報を格納するリムーバブルデータカートリッジであって、該リムーバブルデータカートリッジは、
外側ケーシングであって、
中に開口部を有する前側と、
該前側の反対側に位置する後側と、
左側と、
該左側と該前側との間の左縁と、
上側と、
該上側と該前側との間の上縁であって、該上縁は、該左縁よりも長い、上縁と、
底側と、
該前側から該後側に向かって延びているキーイング機能であって、
該キーイング機能は、ドライブ内のアパーチャを通った該リムーバブルデータカートリッジの不適切な挿入を防止し、
該前側に平行に向けられた断面は、該上側から該底側に向かって延びるどの線に対しても対称ではない、キーイング機能と
を含む、外側ケーシングと、
該前側の該開口部において該外側ケーシングの外側からアクセス可能な電気コネクタと
を備えている、リムーバブルデータカートリッジ。
【請求項１１】
前記前側に平行に向けられた断面は、少なくとも５つの縁を有する、請求項１０に記載の情報を格納するリムーバブルデータカートリッジ。
【請求項１２】
前記キーイング機能は、斜角を付けられた面を備えている、請求項１０に記載の情報を格納するリムーバブルデータカートリッジ。
【請求項１３】
前記電気コネクタは、ハードドライブプロトコルと共に使用するためのインタフェースを提供する、請求項１０に記載の情報を格納するリムーバブルデータカートリッジ。
【請求項１４】
前記ハードドライブプロトコルは、ＳＡＳ、ＰＡＴＡ、ＳＡＴＡ、またはＳＣＳＩである、請求項１３に記載の情報を格納するリムーバブルデータカートリッジ。
【請求項１５】
前記外側ケーシングの内側に据え付けられ、かつ、前記電気コネクタに結合されたハードドライブをさらに備えている、請求項１４に記載の情報を格納するリムーバブルデータカートリッジ。
【請求項１６】
前記外側ケーシングの内側に据え付けられ、かつ、前記電気コネクタに結合されたソリッドステートメモリデバイスをさらに備えている、請求項１０に記載の情報を格納するリムーバブルデータカートリッジ。
【請求項１７】
前記上側は、少なくとも７０ｍｍの長さと、少なくとも６０ｍｍの幅とを有し、前記底側は、少なくとも７０ｍｍの長さと、少なくとも６０ｍｍの幅とを有する、請求項１０に記載の情報を格納するリムーバブルデータカートリッジ。
【請求項１８】
前記上側は、少なくとも１００ｍｍの長さと、少なくとも７０ｍｍの幅とを有し、前記底側は、少なくとも１００ｍｍの長さと、少なくとも７０ｍｍの幅とを有する、請求項１０に記載の情報を格納するリムーバブルデータカートリッジ。
【請求項１９】
情報を格納するリムーバブルデータカートリッジであって、該リムーバブルデータカートリッジは、
外側ケーシングであって、
中に開口部を有する前側と、
該前側の反対側に位置する後側と、
左側と、
該左側と該前側との間の左縁と、
上側と、
該上側と該前側との間の上縁であって、該上縁は、該左縁よりも長い、上縁と、
底側と、
該前側から該後側に向かって延びているキーイング機能であって、
該キーイング機能は、ドライブ内のアパーチャを通った該リムーバブルデータカートリッジの不適切な挿入を防止し、
該前側に平行に向けられた断面は、該上側から該底側に向かって延びるどの線に対する鏡像でもない、キーイング機能と
を含む、外側ケーシングと、
該前側の該開口部において該外側ケーシングの外側からアクセス可能な電気コネクタと
を備えている、リムーバブルデータカートリッジ。
【請求項２０】
前記前側に平行に向けられた断面は、少なくとも５つの縁を有する、請求項１９に記載の情報を格納するリムーバブルデータカートリッジ。
【請求項２１】
前記キーイング機能は、斜角を付けられた面を備えている、請求項１９に記載の情報を格納するリムーバブルデータカートリッジ。
【請求項２２】
前記電気コネクタは、ハードドライブプロトコルと共に使用するためのインタフェースを提供する、請求項１９に記載の情報を格納するリムーバブルデータカートリッジ。
【請求項２３】
前記ハードドライブプロトコルは、ＳＡＳ、ＰＡＴＡ、ＳＡＴＡ、またはＳＣＳＩである、請求項２２に記載の情報を格納するリムーバブルデータカートリッジ。
【請求項２４】
前記外側ケーシングの内側に据え付けられ、かつ、前記電気コネクタに結合されたハードドライブをさらに備えている、請求項２３に記載の情報を格納するリムーバブルデータカートリッジ。
【請求項２５】
前記外側ケーシングの内側に据え付けられ、かつ、前記電気コネクタに結合されたソリッドステートメモリデバイスをさらに備えている、請求項１９に記載の情報を格納するリムーバブルデータカートリッジ。
【請求項２６】
前記上側は、少なくとも７０ｍｍの長さと、少なくとも６０ｍｍの幅とを有し、前記底側は、少なくとも７０ｍｍの長さと、少なくとも６０ｍｍの幅とを有する、請求項１９に記載の情報を格納するリムーバブルデータカートリッジ。
【請求項２７】
前記上側は、少なくとも１００ｍｍの長さと、少なくとも７０ｍｍの幅とを有し、前記底側は、少なくとも１００ｍｍの長さと、少なくとも７０ｍｍの幅とを有する、請求項１９に記載の情報を格納するリムーバブルデータカートリッジ。
【発明の詳細な説明】
【技術分野】
【０００１】
本願は、２００５年１０月２８日出願の同時係属中の米国仮特許出願第６０／７３１，０７４号の利益を主張し、かつ、その本出願である。本願はまた、２００５年１０月２５日出願の同時係属中の米国意匠出願第２９／２４１，３０８号の利益を主張し、かつ、その一部継続出願である。これらの出願の両方が、あらゆる目的でそれらの全体が参考として本明細書によって特に援用される。
【０００２】
（技術分野）
本開示は、概して、ディスクカートリッジに関し、限定するわけではないが、フラッシュメディアまたは回転ディスクメディアをカプセル化するディスクカートリッジに関する。
【背景技術】
【０００３】
リムーバブルデータカートリッジは、一部の種類の電子的に読み取り可能な情報を含むポータブルデバイスである。情報にアクセスするか、または情報を修正するために、オペレータは、カートリッジを専用のレセプタクルまたはドライブに挿入し、該専用のレセプタクルまたはドライブは、カートリッジとインタフェースする。データカートリッジの例は、ドライブに物理的にインタフェースされるフロッピー（登録商標）ディスクとテープカートリッジとを含む。テープカートリッジは、読み取り／書き込みヘッドに係合するように挿入され得る。読み取り／書き込みヘッドは、テープに磁気的に係合し、情報を読み取るか、または書き込む。
【０００４】
一部のテープカートリッジは、テープメディアとは別個に電子メモリチップを含み、該電子メモリチップは、一部のメタデータを格納するために使用され得る。多くの場合に、これらのメモリチップは、ＲＦＩＤシステムに結合され、電磁エネルギーを使用した、ＲＦＩＤチップメモリの無線読み取りを可能にする。テープカートリッジに格納されたデータは、ＲＦＩＤチップから読み取られ得ないが、テープカートリッジに関連するメタデータだけは読み取られ得る。
【０００５】
一部の磁気テープカートリッジは、キーイング機能を有し、ドライブの中への一部のタイプの不適切な挿入を防止する。例えば、ＴｒａｖａｎＴＭテープカートリッジの断面は、逆さにした大文字Ｔのような形状である。Ｔ形状が正しい向きであるように、これらのテープを挿入する試みは、ドライブベゼル内のアパーチャによって防止される。フロッピー（登録商標）ディスクは、不適切な挿入を防止するものは何もなく、その結果、不適切に挿入することが、ディスクおよび／またはドライブを損傷し得る。
【発明の開示】
【課題を解決するための手段】
【０００６】
一実施形態において、本開示は、情報を格納するリムーバブルデータカートリッジを提供する。該リムーバブルデータカートリッジは、外側ケーシングと電気コネクタとを含む。外側ケーシングは、中に開口部を有する前側と、前側の反対側に位置する後側と、左側と、左側と前側との間の左縁と、上側と、上側と前側との間の上縁であって、該上縁は、左縁よりも長い、上縁と、底側とを有する。外側ケーシングのキーイング機能は、前側から後側に向かって延び、ドライブ内の固定のアパーチャを通ったリムーバブルデータカートリッジの不適切な挿入を防止する。電気コネクタは、前側の開口部において外側ケーシングの外側からアクセス可能である。
【０００７】
別の実施形態において、本開示は、情報を格納するリムーバブルデータカートリッジを提供する。該リムーバブルデータカートリッジは、外側ケーシングと電気コネクタとを含む。外側ケーシングは、中に開口部を有する前側と、前側の反対側に位置する後側と、左側と、左側と前側との間の左縁と、上側と、上側と前側との間の上縁であって、該上縁は、左縁よりも長い、上縁と、底側と、前側から後側に向かって延びているキーイング機能とを含む。キーイング機能は、ドライブ内のアパーチャを通ったリムーバブルデータカートリッジの不適切な挿入を防止する。前側に平行に向けられた断面は上側から底側に向かって延びるどの線に対しても対称ではない。電気コネクタは、前側の開口部において外側ケーシングの外側からアクセス可能である。
【０００８】
さらに別の実施形態において、本開示は、情報を格納するリムーバブルデータカートリッジを提供する。該リムーバブルデータカートリッジは、外側ケーシングと電気コネクタとを含む。外側ケーシングは、中に開口部を有する前側と、前側の反対側に位置する後側と、左側と、左側と前側との間の左縁と、上側と、上側と前側との間の上縁であって、該上縁は、左縁よりも長い、上縁と、底側と、前側から後側に向かって延びているキーイング機能とを含む。キーイング機能は、ドライブ内のアパーチャを通ったリムーバブルデータカートリッジの不適切な挿入を防止する。前側に平行に向けられた断面は上側から底側に向かって延びるどの線に対する鏡像でもない。電気コネクタは、前側の開口部において外側ケーシングの外側からアクセス可能である。
【０００９】
本開示を適用可能なさらなる領域は、以下で提供される詳細な記述から明らかになる。詳細な記述および特定の実施例は、様々な実施形態を示しているが、例示の目的だけを意図されており、必ずしも本開示の範囲を限定することを意図されていないということが理解されるべきである。
【発明を実施するための最良の形態】
【００１０】
本開示は、添付の図面と共に記述される。
【００１１】
添付の図面において、同様な構成要素および／または同様な機能は、同じ参照ラベルを有し得る。さらに、同じタイプの様々な構成要素は、ダッシュと、同様な構成要素の間を区別する第２のラベルとを参照ラベルに続けることによって区別され得る。第１の参照ラベルだけが本明細書において使用されている場合、記述は、第２の参照ラベルに関係なく、同じ第１の参照ラベルを有する同様な構成要素のうちの任意のものに適用可能である。
【００１２】
（特定の実施形態の記述）
以下の記述において、実施形態の完全な理解を提供するために、特定の詳細が与えられる。しかしながら、当業者によって理解されることは、該実施形態がこれらの特定の詳細を用いることなく行なわれ得るということである。例えば、不必要な詳細で実施形態を不明瞭にしないように、回路はブロック図で示され得る。他の例としては、周知の回路、プロセス、アルゴリズム、構造および技術は、実施形態を不明瞭にすることを避けるために、不必要な詳細を用いることなく示され得る。
【００１３】
本発明は、独自の機能を有するリムーバブルデータカートリッジにおいて具体化される。データカートリッジは、ドライブベイ内のアパーチャを通って挿入され、データカートリッジに含まれる電気コネクタは、ドライブベイの内側のマッチングコネクタに結合される。データカートリッジの適切な挿入、整列、および取り外しは、キーイング機能によって容易にされる。キーイング機能は、データカートリッジが適切に整列されかつ配向されたとき以外は、ドライブベイへの挿入を妨げる。これは、特に力が使用される、不適切な挿入からもたらされ得る、データカートリッジおよびドライブベイに対する損傷を防止する。様々な実施形態に対するデータカートリッジのさらなる機能は、人間による取り扱いおよび／または機械的な取り扱いを容易にするグリップ、ドライブベイの中にデータカートリッジを固定する掛け金機構、書き込み保護機能、および／または視覚的な状態インジケータを含み得る。
【００１４】
最初に図１を参照すると、リムーバブルデータカートリッジ１００の実施形態の上部が示されている。この図は、外側ケーシング１０４の上側１０８を描いている。上側１０８は、長さ寸法１１６と幅寸法１１２とを有する。例示的な実施形態において、長さ１１６は、約１１８．９ｍｍ（４．６８インチ）であり、幅１１２は、約８８．４ｍｍ（３．４インチ）である。しかしながら、データカートリッジの他の実施形態は、意図された用途に基づいた様々な寸法を有し得る。
【００１５】
概して、外側ケーシング１０４は、ハードドライブを含むために充分な大きさである。例えば、データカートリッジ１００の実施形態は、標準的な２．５インチのラップトップのハードドライブを収めるように設計されており、少なくとも１０１ｍｍ（３．９４インチ）の長さ１１６と少なくとも７０ｍｍ（２．７６インチ）の幅１１２とを有し得る。１．８インチのハードドライブと共に使用するデータカートリッジは、より小さくなり得、３．５インチのハードドライブを有するデータカートリッジは、より大きくなり得る。例えば、Ｈｉｔａｃｈｉによる１．８インチのＴＲＡＶＥＬＳＴＡＲＴＭを収容するように設計されたデータカートリッジは、少なくとも７０ｍｍ（２．７６インチ）の長さ１１６と少なくとも６０ｍｍ（２．３７インチ）の幅１１２とを有し得る。同様に、Ｔｏｓｈｉｂａによる１．８インチのドライブと共に使用されるデータカートリッジは、少なくとも７９ｍｍ（３．１１インチ）の長さ１１６と少なくとも５４ｍｍ（２．１３インチ）の幅１１２とを有し得る。ソリッドステートメモリデバイスと共に使用されることを意図されたデータカートリッジは、さらに別のサイズを有し得る。例えば、フラッシュメモリチップと共に使用される実施形態は、ハードドライブと共に使用されるように設計された実施形態よりもかなり小さくなり得るか、または同じ形状因子を使用し得る。
【００１６】
外側ケーシング１０４の上側１０８は、書き込み保護機能１２４を含む。一部の実施形態において、書込み保護機能１２４はスライダであり得、該スライダは、２つの位置のうちの１つに動かされ得る。スライダの位置を変更することによって、対応するように、書込み保護機能１２４を選択したり、または書込み保護機能１２４を選択しなかったりする。ドライブベイは、書込み保護機能の位置を決定し得、それに応じて、データカートリッジからの読み取り能力に影響することなく、書き込み機能を使用可能にし得るか、または使用不能にし得る。他の実施形態において、書込み保護機能１２４は、代替の作動手段、例えば、タブ、押しボタン、またはロッカースイッチを備え得る。さらなる実施形態は、光学センサまたは電気センサを使用して、書込み保護機能を作動し得る。
【００１７】
データカートリッジ１００はまた、丸みを帯びた後縁１２０を含み得る。丸みを帯びた後縁１２０は、左側／右側のハンドグリップ１２８および上側／底側のハンドグリップ２１６と組み合わせて、ドライブベイへの挿入のための適切なデータカートリッジの向きに関する視覚的な表示を提供する。従って、これらの要素は、人間のオペレータを、ドライブベイに対するデータカートリッジの正しい方向に素早く導き得る。例示的な実施形態において、丸みを帯びた縁は、３９．３７ｃｍ（１５．５インチ）の半径を有する円の曲率に従うが、直角の縁または他の半径が可能である。不適切な挿入に対してさらに防護を行なうものは、キーイング機能３２０であり、該キーイング機能３２０は、ドライブベイ内のアパーチャと共に機能し、正面を先にした方向以外のあらゆる方向での挿入を防止する。他の実施形態は、別のキーイング機能を使用して、不適切な挿入を防止し得る。
【００１８】
データカートリッジ１００内のハードドライブは、熱を生成し得る。一部の実施形態において、囲い１０４は、ハードドライブの過熱をもたらす熱を捕らえ得る。上側と後側との間の縁、および底側と後側との間の縁において、この実施形態は、１６個の通気口１２２−１を含み、該通気口１２２−１は、空気が、外側ケーシング１０４の内外に流れることを可能にする。他の実施形態は、より多くの、またはより少ない通気口を有し得る。また、通気口は、外側ケーシング１０４の様々な位置に置かれ得る。
【００１９】
次に、図２を参照すると、データカートリッジ２００の実施形態の底面図が示されている。この図は、データカートリッジ２００装填機能を例示する。ドライブベイの中にデータカートリッジを装填することは、人間のオペレータまたは機械的な装填器によって達成され得る。人間のオペレータは、データカートリッジ２００の右側２２８とデータカートリッジ２００の左側２２４との間に位置するハンドグリップ１２８によってデータカートリッジを保持し、データカートリッジが電気的嵌合コネクタと係合するまで、ドライブベイ内のアパーチャを通してデータカートリッジを挿入する。アパーチャは、ベゼル内またはベゼルの後ろにあり得る。一部の実施形態は、「柔軟な装填」機構を含み得、該柔軟な装填機構は、人間のオペレータまたは装填アームによる最初の部分的な挿入の後に、前部装填グリップ２０８、後部装填グリップ２１２によってドライブベイの中にデータカートリッジ２００を引っ張る。他の実施形態は、人間のオペレータに、ドライブベイの中にデータカートリッジを完全に挿入させ得る。
【００２０】
ドライブの中の機械装填器は、複数の点においてデータカートリッジを操作し得る。これらの地点は、装填手順の様々な段階に対応し得る。例えば、機械装填器は、最初に、前部の装填グリップ２０８を使用して、アパーチャの前にデータカートリッジを配置し、次に、挿入が開始すると、後部の装填グリップ２１２に移り得る。同様に、機械装填器は、このプロセスを逆行させ、データカートリッジをドライブベイから引き抜き得る。中央の装填グリップ２１６が、データカートリッジ２００の上側１０８と底側２０４とに含まれ、挿入動作および取り外し動作をさらに容易にする。自動装填器は、ドライブが柔軟な装填機構を有するかどうかに関わらず、人間のオペレータに置き換えられ得る。
【００２１】
図３を参照すると、データカートリッジ３００の実施形態の正面図が示されている。データカートリッジの前側３０４は、ドライブベイ内のアパーチャを通して挿入される。アパーチャは、この実施形態に対しては、硬質であり、かつ、一定の形状である。先に述べられたように、データカートリッジは、キーイング機能３２０を含み、該キーイング機能３２０は、データカートリッジが適切に整列されたときにだけ、アパーチャを通って嵌まり、データカートリッジを不適切に挿入する試み（例えば、後ろ向きの挿入、横向きの挿入、または上下逆さの挿入）を妨げる。キーイング機能３２０はまた、誤って整列されたデータカートリッジが、アパーチャの途中に挿入されたときに生じる問題（「部分的な誤挿入」）を防止する。キーイング機能を有さないか、または対称的なキーイング機能を有するデータカートリッジ３００は、部分的な誤挿入と、データカートリッジまたはドライブベイに対する損傷とを受けやすい可能性がある。一実施形態において、本発明は、この損傷を回避する。
【００２２】
例示的な実施形態において、キーイング機能３２０は、データカートリッジ３００の上側と左側との間に配置された斜角を付けられた面である。一実施形態において、斜角を付けられた面は、データカートリッジの上側に対して１２．４°の角度を形成し得、データカートリッジの底側に向けて２．０３ｍｍ（０．０８インチ）に達し得る。他の実施形態は、様々な設計を有するキーイング機能を含み得る。例えば、キーイング機能３２０は、凸面または凹面を形成し得、左側の全長に達するか、または左側の全長を下回る長さに達する。キーイング機能が、データカートリッジ３００の長さの一部分だけに達する場合、アパーチャは、キーイング機能の端を越えた挿入を防止し得、その結果、ドライブは、データカートリッジ３００の長さの残りに対してドライブベイから延びている。代替の実施形態において、キーイング機能３２０は、データカートリッジ３００の上側１０８と右側２２８との間に配置され得るか、またはデータカートリッジの底側２０４と左側２２４または右側２２８のいずれかとの間に配置され得る。しかしながら、各場合において、データカートリッジ３００が、通常動作の間、ドライブベイ内のアパーチャを通って適切な方向にだけ挿入され得るように、キーイング機能３２０は選択される。
【００２３】
データカートリッジの前側３０４は、ケーシング１０４の中に開口部３２８を含み、該開口部３２８は、電気コネクタ３０８へのアクセスを可能にする。電気コネクタ３０８は、物理的なインタフェースを提供し、格納デバイスおよび格納技術が、データカートリッジ３００と共に使用されることを可能にする。例示的な実施形態においては、電気コネクタ３０８は、工業規格のハードドライブプロトコルをサポートするように構成されている。従って、電気コネクタ３０８は、ＳＣＳＩ、ＳＡＳ、ＳＡＴＡ、および／またはＰＡＴＡの格納デバイスが、データカートリッジ３００と共に使用されることを可能にし得る。これらは、ハードドライブと、ハードドライブをエミュレートするデバイスとを含み得る。例えば、１．８インチ、２．５インチ、または３．５インチのハードドライブが、データカートリッジ３００の内側に据え付けられ、かつ、電気コネクタに結合され得る。同様に、データカートリッジ３００は、フラッシュメモリチップと共に使用するように適合され得る。他の実施形態において、電気コネクタ３０８は、ＵＳＢ、ＰＣＭＣＩＡ、ファイアワイア、および／または無線接続を使用し得る。
【００２４】
一部の実施形態は、ケーシング１０４の中に引っ込められたか、またはケーシングから延びている電気コネクタをフラップの後ろに有し得る。電気コネクタ３０８は、上側１０８と底側２０４とに対して、および右側２２８と左側２２４とに対しての両方に対して中心からずらされており、不適切な方向が、ドライブベイ内の対応部分との電気コネクタ３０８の適切な嵌合を可能にしないように、キーイングをさらに提供する。
【００２５】
キャッチ３１６は、データカートリッジ３００の前側３０４に含まれる。キャッチ３１６は、ドライブベイ内の掛け金機構と協働して、データカートリッジ３００をしっかりと適切に保持する。ドライブベイへの完全な挿入の際に、掛け金機構は、キャッチ３１６と係合し、データカートリッジ３００が、以下でさらに述べられるように排出されるまで係合されたままである。一部の実施形態は、カートリッジをロックしないこと、または代替の掛け金機構が有利になるように、キャッチ３１６に係合する掛け金機構を使用しない。
【００２６】
光パイプ３２４がまた、データカートリッジ３００の前側３０４に含まれる。光パイプ３２４は、データカートリッジ３００の挿入の際に、ドライブベイの中の光源に結合し、データカートリッジ３００の前側３０４からデータカートリッジ３００の後側に延びているチャンネルを提供する。従って、光パイプ３２４を通過する光は、データカートリッジ３００の後側から見ることができ、例えば、ステータス情報を人間のオペレータに提供し得る。ステータス情報は、例えば、電力が導電体に供給されたか、およびデータカートリッジの内側に据え付けられたデバイスが、現在、使用されているかなどを含み得る。他の実施形態は、光パイプを有し得ないか、または複数の光パイプを有し得る。光パイプ３２４は、ドライブベイ内の様々な色の光源と結合し、複数の条件を伝え得る。
【００２７】
図４を参照すると、データカートリッジ４００の実施形態の背面図が示されている。データカートリッジ４００の後側４０４は、この実施形態において、ドライブベイの外側からアクセス可能である。ドライブベイの一部の実施形態は、アパーチャを完全に通ったデータカートリッジの挿入を可能にし、その結果、排出後まで、データカートリッジ４００はアクセス可能ではなくなる。通気口１２２と光パイプ３２４とは、データカートリッジの後側２０４から見ることができる。光パイプ３２４は、この実施形態において、データカートリッジ４００の全長に達し、その結果、データカートリッジ４００の後側４０４を見るときに、発光端は視認可能である。この実施形態において、キーイング機能３２０は、データカートリッジ４００の全長を延び、後側４０４から視認可能である。他の実施形態において、キーイング機能３２０は、データカートリッジの後側４０４から視認可能であったり、なかったりする。
【００２８】
図５を参照すると、データカートリッジ５００の実施形態の右側の図が示されている。右側２２８は、データカートリッジ５００の厚さ５０８を例示する。例示的な実施形態において、データカートリッジは、２２．９ｍｍ（０．９２０インチ）の厚さ５０８を有する。しかしながら、先に記述されたように、データカートリッジ５００の特定の用途に適合するように、寸法は変更され得る。従って、例えば、データカートリッジ５００の厚さ５０８は、データカートリッジ５００の内側に据え付けられた格納デバイスのタイプに依存して増加し得るか、または減少し得る。
【００２９】
図６を参照すると、データカートリッジ６００の実施形態の左側の図が示されている。データカートリッジ６００の左側２２４は、右側２２８と同様であり、ハンドグリップ１２８と装填グリップ２１２とを含む。シームは、データカートリッジ６００の長さに達するように示されており、かつ、一部の他の図面において視認可能である。シームは、ケーシング１０４の２つの半分が、この実施形態に対する組み立ての間に嵌合された場所を示す。
【００３０】
図７を参照すると、ドライブベイ７１６の中に挿入されたデータカートリッジ１００の破断図７００が示されている。データカートリッジ１００は、ドライブベイ７１６に完全に挿入され、ドライブ７１２とデータカートリッジ１００の電気的係合および機械的係合を可能にするように示されている。ドライブベイ７１６は、ドライブ７１２の一部であり、ドライブベイは、データカートリッジ１００に対するレセプタクルとして働く。この図は、キャッチ３１６と係合する掛け金機構７０８を示す。データカートリッジ１００がドライブベイ７１６に挿入されると、掛け金機構７０８は、電動カム７０４によって動作される。完全な挿入において、キャッチ３１６と掛け金機構７０８とが協働して、データカートリッジ１００をしっかりと適切な場所に保持する。書き込み保護機能３２４がまた示されている。
【００３１】
図８を参照すると、ドライブベイ７１６の中に挿入されたデータカートリッジ１００の破断図８００が示されている。この図において、カム７０４は作動され、掛け金機構７０８を解放し、カム７０４の単一の回転でデータカートリッジ１００を部分的に排出する。データカートリッジ１００の後側４０４が、ドライブベイ７１６のアパーチャを通ってより多く突出して示されている。ドライブ７１２とドライブベイ７１６との間の電気接続は、カム７０４の作動後に断たれる。他の実施形態は、ピストンを使用して、データカートリッジ１００、または前部装填グリップ２０８と後部装填グリップ２１２とに結合された機構を脱着し得る。
【００３２】
図９を参照すると、ドライブ７１２の実施形態の正面図が示されている。アパーチャ９１２が、ドライブベゼル９０８に形成され、ドライブベイ７１６の開口部の境界を画定する。アパーチャ９１２は、適切に挿入されたときには、データカートリッジ１００を収容するために充分に大きいが、不適切な挿入を防止する。ドライブベイは、データカートリッジ１００の挿入の邪魔にならないように押されるドアを有し得るか、または有さないことがあり得る。ドライブ７１２はドライブアレイ、コンピュータ、または外部囲いに据え付けられ得る。他の実施形態は、状態ライトおよび／または表示をドライブ７１２に有し得る。
【００３３】
開示された実施形態の上の記述は、当業者が本開示を作成するか、または使用することを可能にするために提供される。これらの実施形態に対する様々な改変が、当業者には容易に明らかであり、本明細書において定義された全体的な原理は、本開示の精神または範囲を逸脱することなく他の実施形態に適用され得る。従って、本開示は、本明細書に示された実施形態に限定されることを意図されておらず、本明細書において開示された原理および新規的な特徴と一致する最も広い範囲に従う。
【図面の簡単な説明】
【００３４】
【図１】図１は、リムーバブルデータカートリッジの実施形態の上面図を示す。
【図２】図２は、リムーバブルデータカートリッジの実施形態の底面図を示す。
【図３】図３は、リムーバブルデータカートリッジの実施形態の正面図を示す。
【図４】図４は、リムーバブルデータカートリッジの実施形態の背面図を示す。
【図５】図５は、リムーバブルデータカートリッジの実施形態の右側の図を示す。
【図６】図６は、リムーバブルデータカートリッジの実施形態の左側の図を示す。
【図７】図７は、リムーバブルデータカートリッジを挿入されたドライブの実施形態の破断図を示す。
【図８】図８は、リムーバブルデータカートリッジを挿入されたドライブの実施形態の破断図を示す。
【図９】図９は、ドライブの実施形態の正面図を示す。
【図１】
2009514135.tif 000003
【図２】
2009514135.tif 000004
【図３】
2009514135.tif 000005
【図４】
2009514135.tif 000006
【図５】
2009514135.tif 000007
【図６】
2009514135.tif 000008
【図７】
2009514135.tif 000009
【図８】
2009514135.tif 000010
【図９】
2009514135.tif 000011
【国際調査報告】
2009514135.tif 000012